(57)【要約】  【課題】  中心コンタクトを基部を確実に支持し、誘電率を空気に近づけ、全体として小径な同軸ケーブル用コネクタを提供する。  【解決手段】  同軸ケーブルＣの中心導体Ｃａを機器に導通させる同軸ケーブル用コネクタにおける中心コンタクト３の絶縁性支持材６であって、コネクタ本体１と該コネクタ本体１に螺合して締付ける締付け金具２間に介在させて固定する周端部６ｃと、前記コネクタ本体１の軸線上に位置して前記中心コンタクト３の基部を内側に係合して支持するリング状支持部６ａおよびリング状支持部６ａから放射状に延びてリング状支持部６ｂと前記周端部６ｃを接続した支持杆６ｄとで構成する。【選択図】    図１
2010067381.tif 000002
【特許請求の範囲】
【請求項１】
同軸ケーブルの中心導体を機器に導通させる同軸ケーブル用コネクタにおける中心コンタクトの絶縁性支持材において、コネクタ本体と該コネクタ本体に螺合して締付ける締付け金具間に介在させて固定する周端部と、前記コネクタ本体の軸線上に位置して前記中心コンタクトの基部を内側に係合して支持するリング状支持部およびリング状支持部から放射状に延びてリング状支持部と前記周端部を接続した支持杆とで成る、同軸ケーブル用コネクタにおける中心コンタクトの絶縁性支持材。
【発明の詳細な説明】
【技術分野】
【０００１】
本発明は、同軸ケーブルの中心導体を機器に導通させる同軸ケーブル用コネクタにおける中心コンタクトの絶縁性支持材に関するものである。
【背景技術】
【０００２】
同軸ケーブルの端末を内嵌接続した中心コンタクトの基部をコネクタ内に支持する構造のものとして、前後一対の絶縁部材（誘電体）間に、前記中心コンタクトに備えたフランジを介在させ、コネクタ本体に締付け金具を螺合、締付けるようにした構造のものがある（例えば、特許文献１）。
【０００３】
【特許文献１】実開平６−７２１８４号公報
【発明の開示】
【発明が解決しようとする課題】
【０００４】
前記従来例は、中心コンタクトを支持する構造のものとしてはその機能を十分果たすものであるが、コネクタ内に備えた中心コンタクト基部の収納部を絶縁体（誘電体）で充たす構成を採用するので、誘電率の点から、カットオフ周波数に限界があり、当該コネクタによって伝送できる使用最大周波数に制限を受ける。
【０００５】
一般に空気を誘電体として利用すれば、カットオフ周波数が高くなり、高い周波数の信号を伝送することができるが、機器と同軸ケーブルの中心導体との導通を仲介する中心コンタクトは所定位置に安定して固定、保持されなければならないため、その基部側を絶縁体素材（通常は合成樹脂）を用いて支持せざるを得ず、誘電率が高くなる。
【０００６】
本発明は、誘電体としてできるだけ空気に近づけ、しかも、中心コンタクトの安定した支持を維持できる装置を提供すべく創案したものである。
【課題を解決するための手段】
【０００７】
同軸ケーブルの中心導体を機器に導通させる同軸ケーブル用コネクタにおける中心コンタクトの絶縁性支持材において、コネクタ本体と該コネクタ本体に螺合して締付ける締付け金具間に介在させて固定する周端部と、前記コネクタ本体の軸線上に位置して前記中心コンタクトの基部を内側に係合して支持するリング状支持部およびリング状支持部から放射状に延びてリング状支持部と前記周端部を接続した支持杆とで構成したものである。
【発明の効果】
【０００８】
本発明は、前記の通りの構成であるから、中心コンタクトの基部側を確実に支持することができると共に、周端部とリング状支持部とを放射状に配した支持杆で接続したものであるから、支持杆間に空隙が形成され、該空隙の存在によって、その総面積分を当該支持材の絶縁物より誘電率の低い部分として取扱うことができるので、支持材の径を小さくでき、従って、同じ周波数領域に用いられるコネクタと較べ小径に、小型にすることができる。
【実施例】
【０００９】
図面は本発明に係る同軸ケーブル用コネクタにおける中心コンタクトの絶縁性支持材の一実施例を示し、図１は同軸ケーブル用コネクタの使用状態を示す断面図、図２は絶縁性支持材の正面図、図３は絶縁性支持材の斜視図である。
【００１０】
図中、１は先端側に設けた第一雄ねじ１ａを機器Ａに螺合して取付ける、金属（実施例は黄銅）製のコネクタ本体で、コネクタ本体１の軸線上には中心コンタクト３を配し、該中心コンタクト３のピン３ａをコネクタ本体１の内側に収設した合成樹脂製の絶縁体４を通じて本体１より突出させて前記機器に差し込むようにしてある。
【００１１】
中心コンタクト３は、外周端を押え筒５と前記コネクタ本体１とで挟持された絶縁性支持材６に設けた支持孔６ａ´に、その基部を嵌合して支持材６に支持され、基端面を開口して設けたねじ穴７に同軸ケーブルＣの芯線（中心導体）Ｃａに形成した雄ねじを螺合して同軸ケーブルＣと接続したものである。
【００１２】
前記絶縁性支持材６は、中央に前記支持孔６ａ´を設けた、リング状支持部６ａと周端部６ｃを、支持部６ａから放射状に延びた支持杆６ｄで接続し、支持杆６ｄ，６ｄ間に空隙６ｂを設けた円板状の絶縁体（実施例は合成樹脂）で構成したもので、斯様な支持材６で中心コンタクト３の基部乃至芯線Ｃａの先端を支持させることによりコネクタＡを比較的小径にすることができる。すなわち、良好な電気特性を持つ中心コンタクトの配置（組付け）状態を得るには、中心導体の基部を支持するために用いられる絶縁性の支持材（実施例の場合は支持材６）の誘電率を空気のそれに近づけ、できるだけ小さくすることが望ましく、実施例の場合は空隙６ｂ（総面積が広ければ広い程誘電率が小さくなる）を備えた支持材６を用いたから、誘電率がその分小さくなり、中心コンタクト３を収容するコネクタ本体１の径を小径にすることができるのである。
【００１３】
この支持材６の周端部６ｃを挟持する前記押え筒５の内側にはフェルール８（金属製）を配し、フェルール８は、受圧筒部８ａと該受圧筒部８ａの内側に配した挟挿筒部８ｂをそれぞれ円形リング状の基部片において互いに接続した二重円筒体で成り、挟挿筒部８ｂを前記同軸ケーブルＣの外部導体Ｃｂの内側に挟挿するようにして同軸ケーブルＣに組付け（接続し）てある。
【００１４】
なお、実施例の支持材６は、等間隔を存して配した４本の支持杆６ｄ，６ｄ，６ｄ，６ｄでリング状支持部６ａと周端部６ｃを接続して４個の空隙６ｂ，６ｂ，６ｂ，６ｂを備えたものであるが、理論的には、周端部６ｃ側で支持杆６ｄを介して支持部６ａを支持する関係から支持杆６ｄは等間隔を存して（支持状態が安定する）配した複数本で良く、誘電率の関係で空隙６ｄの面積の総和が広ければ広い程良いという観点からは支持杆６ｄは少なければ少ない程良いということになる。
【００１５】
実施例のコネクタの残余の構成は以下の通りである。
【００１６】
すなわち、フェルール８の受圧筒部８ａの後端側（自由端側）の内周面に、先端側から後端方向に径を漸次大きくしたテーパ面８ａ´を設け、該テーパ面８ａ´と逆方向すなわち後端側から先端方向に径を漸次大きくしたテーパ面９ａ´を、押圧筒９（金属製）の、先後中間部の内周面に設け、これらテーパ面８ａ´，９ａ´に各対応するテーパ面１０ａ，１０ｂが接して縮径する、金属製のクランプリング１０を、フェルール８の前記受圧筒部８ａと押圧筒９の後部側の厚肉部９ａとの間に配し、前記厚肉部９ａと先部側の薄肉部９ｂとで成る押圧筒９は、薄肉部９ｂにおいて、前記押え筒５とフェルール８の受圧部８ａ乃至クランプリング１０との間に介在させ、厚肉部９ａの一部を前記コネクタ本体１より後方に突出させ、締付け金具２内に突出させてある。
【００１７】
なお、筒状体で成る前記押え筒５は、先端側に、内径を小さくした内鍔部片５ａを備え、該内鍔部片５ａをスペーサとして機能させて該押えリング５と受圧部８ａ乃至クランプリング１０との間に挟入間隙を形成し、これに押圧筒９（の薄肉部９ｂ）を挟挿してある。
【００１８】
締付け金具２は、前記コネクタ本体１の後端側に設けた第二雄ねじ１ｂに螺合して本体１に組付ける金具本体２Ａと、該金具本体２Ａを前後方向中間部に収設したカバー枠２Ｂとで構成し、カバー枠２Ｂの、前記金具本体２Ａより後方側には、外被用クランプリング１１、押えリング１２およびガスケットリング１３を順次並べて収設してある。
【００１９】
カバー枠２Ｂは、ポリカーボネート等の硬質合成樹脂製の主体枠２Ｂ´を塩ビ等の耐候性有る軟質合成樹脂層２Ｂ´´で被覆して、軽量化を図ったもので（図示、省略してあるが、製造上、主体２Ｂ´を２部材で構成し、組合わせたものである）、この主体枠２Ｂ´に収設した前記外被用クランプリング１１は、合成樹脂製の割り筒体で成り、中間部内周面に複数個の突子１１ｂ，…を同軸ケーブルの外被Ｃｃの周方向に並設し、先端縁を先端方向に漸次縮径するテーパ面１１ａと成し、該テーパ面１１ａと逆方向のテーパ面９ａ´´を備えた前記押圧筒９の厚肉部９ａと隣接させて配し、該外被用クランプリング１１の後方側には、係止段部１２ａにおいて前記締付け金具２（のカバー枠２Ｂ）に押圧される前記押えリング１２を配し、押えリング１２の後方には同軸ケーブルＣの外被Ｃｃに接して、水気密機能を期待する前記ガスケットリング１３を配してある。
【００２０】
そして、絶縁体４を一体的にしたコネクタ本体１を、機器に第一雄ねじ１ａを利用して組付け、ガスケットリング１３、押えリング１２および外被用クランプリング１１を収設した締付け金具２を、適宜二次加工した同軸ケーブルＣの端末部に隣接する外被Ｃｃ部の周りに組合わせ、締付け金具２の金具本体２の内側にスプリングワッシャ１４を収め、端末部の外部導体Ｃｂ部の外側には押圧筒９と、該押圧筒９の内側に配したクランプリング１０を組合わせる一方、フェルール８を、外部導体Ｃｂを受圧筒部８ａと挟挿筒部８ｂで挟持させるようにして該外部導体Ｃｂ端部に組付け、フェルール８と絶縁性支持材６との間に押え筒５（の内鍔部片５ａ）を介在させるようにして、同軸ケーブルＣの芯線（中心導体）Ｃａの端末の二次加工して形成したねじ部を、支持材６と一体的にした中心コンタクト３のねじ穴７に螺合して組付け、この中心コンタクト３のピン３ａを、機器Ａに組付けたコネクタ本体１に収設した絶縁体４の貫通孔１５を通じ前記機器内に挿入して、１締付け金具２を本体１の第二雄ねじ１ｂに螺合締付けると、クランプリング１０は、押圧筒９および受圧筒部８ａ（フェルール８）とのテーパ同士の接触により、テーパ面１０ａ，１０ｂにおいて、これらに相対的に押圧され縮径して、外部導体Ｃｂをフェルール８の挟挿筒部８ｂとで挟持し、また、同軸ケーブルＣの外被Ｃｃは、締付け金具２の本体１方向の前進により押圧筒９と押えリング１２に両端を相対的に押圧され、かつ、テーパ面９ａ´´，１１ａ同士の接触により縮径する外被用クランプリング１１の突子１１ｂ，…（等間隔を存して外被Ｃｄの周方向に並設してあるのが望ましい、実施例は４個設けてある）が食い込んで挟持され、コネクタを介する機器Ａと同軸ケーブルＣの接続状態を得られる。
【図面の簡単な説明】
【００２１】
【図１】同軸ケーブル用コネクタの使用状態を示す断面図。
【図２】絶縁性支持材の正面図。
【図３】絶縁性支持材の斜視図。
【符号の説明】
【００２２】
１          コネクタ本体
１ｂ        雄ねじ部
２          締付け金具
３          中心コンタクト
６          絶縁性支持材
６ａ        リング状支持部
６ｃ        周端部
６ｄ        支持杆
Ｃ          同軸ケーブル
Ｃａ        中心導体
【図１】
2010067381.tif 000003
【図２】
2010067381.tif 000004
【図３】
2010067381.tif 000005